(57)【特許請求の範囲】
【請求項１】
電動機の固定子枠に電動機脚部と端子箱を有し、前記電動機脚部により電動機軸と平行な方向を設置面として設置する脚取付横形電動機であって、
前記電動機脚部の設置面から前記電動機軸の軸心までの距離が等距離である前記電動機脚部を少なくとも３つ有することを特徴とする脚取付横形電動機。
【請求項２】
電動機の固定子枠に電動機脚部と端子箱を有し、前記電動機脚部により電動機軸と平行な方向を設置面として設置する脚取付横形電動機であって、
前記電動機脚部の設置面から前記電動機軸の軸心までの距離が等距離である前記電動機脚部を４つ有することを特徴とする脚取付横形電動機。
【請求項３】
電動機の固定子枠に電動機脚部と端子箱を有し、前記電動機脚部により電動機軸と平行な方向を設置面として設置する脚取付横形電動機であって、
前記電動機脚部は脚部取付穴を前記電動機軸方向の負荷側と反負荷側にそれぞれ有し、
前記端子箱は前記負荷側の脚部取付穴と前記反負荷側の脚部取付穴との間の中心を示すハウジング中心位置にあり、
前記電動機脚部の設置面から前記電動機軸の軸心までの距離が等距離である前記電動機脚部を３つ有することを特徴とする脚取付横形電動機。
【請求項４】
請求項１から３のいずれか１項に記載の脚取付横形電動機であって、
前記３つ又は４つの電動機脚部は、該電動機脚部の接地面に対する法線から前記電動機軸の回転方向に夫々同角度で前記固定子枠に固定されていることを特徴とする脚取付横形電動機。
【請求項５】
請求項４に記載の脚取付横形電動機であって、
前記角度は略４５度であることを特徴とする脚取付横形電動機。
【請求項６】
請求項１から５のいずれか１項に記載の脚取付横形電動機であって、
前記３つ又は４つの電動機脚部は脚部取付穴を前記電動機軸方向の負荷側と反負荷側にそれぞれ有し、該脚部取付穴の取付け間隔が同一であることを特徴とする脚取付横形電動機。
【請求項７】
請求項１から６のいずれか１項に記載の脚取付横形電動機であって、
前記電動機脚部に吊り手用の吊り手穴を有していることを特徴とする脚取付横形電動機。
【請求項８】
請求項１から７のいずれか１項に記載の脚取付横形電動機であって、
前記脚取付横形電動機を前記電動機軸回りに横転、または、水平方向に１８０度反転させて、前記端子箱の位置を左、上、または右に変更した場合においても、該脚取付横形電動機の取付寸法が同一であることを特徴とする脚取付横形電動機。
【請求項９】
請求項１から８のいずれか１項に記載の脚取付横形電動機であって、
前記電動機脚部は該電動機脚部の設置面に対し水平方向と垂直方向に直交した脚部取付穴を有していることを特徴とする脚取付横形電動機。
【発明の詳細な説明】
【技術分野】
【０００１】
本発明は、電動機に係り、特に、脚取付横形電動機の電動機脚部に関する。
【背景技術】
【０００２】
一般に脚取付横形電動機における端子箱位置（左、上、右）の仕様変更は固定子枠(以下、本体)に端子箱取付座部を設けなくてはならないため製造段階で端子箱位置に合わせた専用ハウジング（本体に電動機脚部を取り付けられたもの）の選定が必要となる。
【０００３】
一般的な従来技術にて端子箱位置の仕様を変更（左、上、右）する場合、以下のいずれかの方法で端子箱位置の仕様変更に対応している。
１．各端子箱取付位置専用ハウジングでの対応。
２．ハウジングの３方向（左、上、右）に端子箱取付座を設ける。
３．本体の３方向（左、上、右）いずれかに脚部を設ける。
【０００４】
また、特開昭６３−１３３８５０号公報（特許文献１）には、脚取付用環を電動機ハウジング外周上に設けた脚取付装置が開示されている。この装置は、電動機ハウジング外周上であって、電動機軸心方向に設けられた複数の放熱フィンの夫々の頂頭に、嵌合若しくは溶接によって脚取付用環を設置し、脚取付用環において軸方向に設けられた複数のボルト穴の内、所望のボルト穴と電動機脚をボルト締めし、端子箱の回転方向設置位置を任意に調整することができるようになっている。
【先行技術文献】
【特許文献】
【０００５】
【特許文献１】特開昭６３−１３３８５０号公報
【発明の概要】
【発明が解決しようとする課題】
【０００６】
しかしながら、特許文献１では、外周の放熱フィン頂頭部に脚取付用環を嵌合或いは溶接するようになっており電動機固定の強度を確保することができない、また特殊な脚取付装置が必要である点から現実的ではない。
【０００７】
更に、本体から脚部を物理的に取り外し、それ以外の部位に付け替えすることも考えられる。しかし、例えば、電動機の重要な寸法であるセンターハイト（以下、Ｃ寸法）と呼ばれる、電動機を他の機器や施設に設置したときの設置面から電動機軸心までの高さ（距離）は、規格（規格名称：ＩＥＣ６００７２−１及びＪＩＳ  Ｃ  ４２１０及びＪＥＭ  １４００）で規定されており、Ｃ寸法は電動機脚部端面を基準としているため、一度脚部を取り外してしまうとＣ寸法が精度よく確保出来ないという課題がある。よって、上記いずれの方法でも、電動機完成後に端子箱位置を変更するにはハウジング自体を交換するほかない。
【０００８】
従って、軸心と設置面の距離の精度を損なうことなく、コストと性能を確保しつつ、電動機の端子箱位置を柔軟に変更することができる構成が望まれる。
【課題を解決するための手段】
【０００９】
上記課題を解決するために、例えば特許請求の範囲に記載の構成を採用する。本願は上記課題を解決する手段を複数含んでいるが、その一例を挙げるならば、電動機の固定子枠に電動機脚部と端子箱を有し、前記電動機脚部により電動機軸と平行な方向を設置面として設置する脚取付横形電動機であって、前記電動機脚部の設置面から前記電動機軸の軸心までの距離が等距離である前記電動機脚部を少なくとも３つ有する構成とする。
【発明の効果】
【００１０】
電動機完成後の端子箱位置の変更が、ハウジング自体を交換することなく、取付寸法を同一としたまま可能となる。
【図面の簡単な説明】
【００１１】
【図１】現行品の電動機(端子箱位置固定)を説明する図である。
【図２】現行品の電動機(３方向に端子箱取付座)を説明する図である。
【図３】現行品の電動機(３方向のいずれかに脚部を取付)を説明する図である。
【図４】実施例１の電動機を説明する図(端子箱左取付)である。
【図５】実施例１の電動機を説明する図(端子箱上取付)である。
【図６】実施例１の電動機を説明する図(端子箱右取付)である。
【図７】実施例１の図５の電動機を電動機軸から見た断面図である。
【図８】実施例１の図５の電動機を右側真横から見た図である。
【図９】実施例２の電動機を説明する図(端子箱左取付、ハウジング中心)である。
【図１０】実施例２の電動機を説明する図(端子箱右取付、ハウジング中心)である。
【図１１】実施例２の電動機を説明する図(端子箱上取付、ハウジング中心)である。
【図１２】実施例２の図１１の電動機を右側真横から見た図である。
【図１３】実施例３の電動機脚部兼吊り手部を説明する図（吊り手穴１個）である。
【図１４】実施例３の電動機脚部兼吊り手部を説明する図（吊り手穴複数個）である。
【図１５】実施例３の吊り手部にて電動機を吊り下げた図である。
【発明を実施するための形態】
【００１２】
以下、図面を用いて本発明の実施例を説明する。
【実施例１】
【００１３】
図１，図２，図３は現行品の電動機のハウジング構成を説明する図である。すなわち、電動機の固定子枠に電動機脚部を有し、該電動機脚部により電動機軸と平行な方向を設置面として設置する脚取付横形電動機の構成について説明する。
【００１４】
図１において、１は端子箱、２は端子箱取付座、３は電動機脚部、４は固定子枠であり、端子箱取付座２と電動機脚部３は固定された位置にある。図２では固定された位置にある電動機脚部３に対して３方向に端子箱取付座２があり、任意の端子箱取付座２を加工して端子箱を取り付ける。図３では固定された位置にある端子箱取付座２に対して任意の位置に電動機脚部３を取り付ける。図３の場合、固定子枠４に電動機脚部３を取り付け後、電動機脚部３を基準面５としてハウジングの加工を行うため、ハウジング加工後に電動機脚部３を取り外して電動機脚部３の付け替え、付け直しをすることはできない。
【００１５】
図４は本実施例の電動機を説明する図であり、端子箱左取付の場合を示している。図４において、電動機脚部３を４つ設けており、電動機設置面から電動機軸６の軸心までの高さであるＣ寸法７をＣ１とする。
【００１６】
図５は、図４を電動機軸６から見て時計回りに９０度横転させたものを説明する図であり、端子箱上取付となり、Ｃ寸法７をＣ２とする。
【００１７】
図６は、図５を電動機軸６から見て時計回りに９０度横転させたものを説明する図であり、端子箱右取付となり、Ｃ寸法７をＣ３とする。
【００１８】
図７は、図５で説明した実施例の電動機を電動機軸６から見た断面図である。図７に示すように、図４，図５，図６のＣ寸法である、３方向のＣ１，Ｃ２，Ｃ３が同一となるように、４つの電動機脚部３が固定子枠４に設けられている。したがって、図４，図５，図６のように９０度ずつ横転させた時でも、Ｃ寸法７が変わることなく、端子箱位置を変更することが出来る。なお、言い換えると、４つの電動機脚部は、その電動機脚部の接地面に対する法線から電動機軸の回転方向に夫々同角度で固定子枠４に固定されるように構成されており、その角度は略４５度である。
【００１９】
また、Ｃ寸法以外に、電動機の取付寸法として、Ｅ寸法、ＸＡ寸法、及びＦ寸法があり、仕様として決める必要がある。以下に、各取付寸法について説明する。
【００２０】
図７に示すように、電動機設置面での電動機脚部３の回転半径方向での間隔をＥ寸法という。本実施例では、図４，図５，図６でのＥ寸法を、それぞれ、Ｅ１，Ｅ２，Ｅ３とすると、３辺のＥ１，Ｅ２，Ｅ３のＥ寸法８が全て同一であるように、電動機脚部３が固定子枠４に設けられている。
【００２１】
また、図８は、図５で説明した実施例の電動機を右側真横から見た図である。図８に示すように、電動機脚部３は、電動機を固定するための脚部取付穴１３を負荷側と反負荷側に少なくとも２つ設けており、電動機軸６の負荷側先端から電動機脚部３の負荷側の脚部取付穴１３の中心までの距離をＸＡ寸法、また、電動機脚部３の電動機軸方向の２つの脚部取付穴１３の取付け間隔をＦ寸法という。本実施例では、各電動機脚部３のＸＡ寸法９及びＦ寸法１０が同一であるように、電動機脚部３が構成されており、電動機脚部３が固定子枠４に設けられている。よって、電動機の取付寸法であるＣ寸法７、Ｅ寸法８、ＸＡ寸法９、Ｆ寸法１０が同一であるので、図４，図５，図６のように９０度ずつ横転させた時に電動機の取付寸法を変えることなく端子箱位置を変更することが出来る。
【００２２】
なお、本実施例は、図８に示すような、電動機の端子箱が、負荷側の脚部取付穴と反負荷側の脚部取付穴との間の中心を示すハウジング中心位置１１になく、端子箱端面が電動機の脚部取付穴よりも外側となる一般的な構造の電動機における実施例である。
【００２３】
以上のように本実施例は、電動機の固定子枠に電動機脚部と端子箱を有し、前記電動機脚部により電動機軸と平行な方向を設置面として設置する脚取付横形電動機であって、
前記電動機脚部の設置面から前記電動機軸の軸心までの距離が等距離である前記電動機脚部を４つ有する脚取付横形電動機とすることで、電動機完成後や電動機の据え付け時において急な端子箱位置の仕様変更に対して、ハウジング自体を交換することなく柔軟に対応することができる。またハウジング部品の共用化によって、端子箱位置の仕様に合わせた専用ハウジングを持つ必要がなくなるため、コスト削減、棚残減少に貢献できる。
【００２４】
また、脚取付横形電動機を電動機軸回りに横転させて、端子箱の位置を左、上、または右に変更した場合においても、脚取付横形電動機の取付寸法を同一とすることが出来る。
【実施例２】
【００２５】
図９は本実施例の電動機を説明する図であり、端子箱はハウジングの中心に配置されており、左取付の場合を示している。
【００２６】
図１０は、図９の電動機本体を中心として水平方向に１８０度反転させて、電動機軸の入れ替えを行い、端子箱位置を左から右へ変更した電動機を説明する図である。
【００２７】
図１１は、図９を電動機軸６から見て時計回りに９０度横転させたものを説明する図である。
【００２８】
図１２は、図１１で説明した実施例の電動機（端子箱上取付）を右側真横から見た図である。図１２に示すように、各電動機脚部３のＸＡ寸法９及びＦ寸法１０が同一であるように、電動機脚部３が構成されており、電動機脚部３が固定子枠４に設けられている。また、端子箱がハウジング中心位置１１にある。したがって、ハウジングを水平方向に１８０度反転し、電動機軸の入れ替えを行うことで、図９の端子箱左取付から図１０の端子箱右取付への端子箱位置の変更が可能となる。なお、図９から図１０へ変形する場合、電動機の回転方向を端子箱位置の変更前と同じにするため電動機の結線を逆相で接続することで端子箱位置の変更前後で電動機の回転方向を同じとすることが出来る。
【００２９】
また、本実施例でも、実施例１と同様に、Ｃ寸法７が同一となるように電動機脚部３が固定子枠４に設けられているので、図９を電動機軸６から見て時計回りに９０度横転させれば、図１１に示すように、端子箱上取付に変更が可能となる。
【００３０】
また、本実施例では、端子箱位置の仕様を変更（左、上、右）する場合、ハウジングの反転及び一方向９０度に横転させることで対応できるため、電動機脚部は３つあれば足りる。言い換えれば、電動機脚部の接地面に対する法線から電動機軸の回転方向に夫々同角度を有するように構成されており、その角度は略４５度である電動機脚部が３つあれば端子箱位置の仕様変更が可能である。また、本実施例では、脚部と電動機本体をつなぐ部分も含めて電動機脚部３として説明したが、つなぐ部分に電動機の吊り手を兼ねた吊り手部１４の機能を持たせることが出来る。よって、本実施例では、４箇所中１箇所の端子箱脇の電動機脚部を吊り手部１４のみの構造とし、他の３つを脚部兼吊り手部としている（図１０、１１参照）。
【００３１】
なお、図１２は図１１の電動機を右側真横から見た図であるので、図１２の図面上部の電動機脚部３は本来吊り手部１４となるが、各電動機脚部のＸＡ寸法及びＦ寸法が同一であることを説明する都合上、電動機脚部３として説明している。
【００３２】
また、本実施例においても図７及び図１２に示すように、電動機の取付寸法であるＣ寸法７、Ｅ寸法８、ＸＡ寸法９、Ｆ寸法１０を同一とすることで、図９，図１０，図１１で示す通りに形状を変えることで電動機の取付寸法を変えることなく端子箱位置を変更することが出来る。
【００３３】
以上のように本実施例は、電動機の固定子枠に電動機脚部と端子箱を有し、前記電動機脚部により電動機軸と平行な方向を設置面として設置する脚取付横形電動機であって、前記電動機脚部の設置面から前記電動機軸の軸心までの距離が等距離である前記電動機脚部を少なくとも３つ有する脚取付横形電動機とする、または、前記電動機脚部は脚部取付穴を前記電動機軸方向の負荷側と反負荷側にそれぞれ有し、前記端子箱は前記負荷側の脚部取付穴と前記反負荷側の脚部取付穴との間の中心を示すハウジング中心位置にあり、前記電動機脚部の設置面から前記電動機軸の軸心までの距離が等距離である前記電動機脚部を３つ有する脚取付横形電動機とすることで、電動機完成後や電動機の据え付け時において急な端子箱位置の仕様変更が、ハウジング自体を交換することなく、脚取付横形電動機の取付寸法を同一としたまま可能となる。
【実施例３】
【００３４】
図１３は本実施例の電動機脚部兼吊り手部で吊り手穴１個の場合を説明する図である。
図１４は本実施例の電動機脚部兼吊り手部で吊り手穴複数個の場合を説明する図である。図１３、図１４で示す通り、電動機脚部の部材は四角柱の形状とし、２面を使って電動機脚部端面を形成する。この脚部に電動機を設置するための脚部取付穴１３を四角柱に直交して穴をあけている。すなわち、脚部取付穴１３は、電動機脚部の設置面に対し水平方向と垂直方向に直交して設けられている。そのため、電動機を横転させても電動機の取付寸法は同一となる。
【００３５】
また、本実施例では脚部に吊り手用穴があり、端子箱位置を変更した時、２つの電動機脚部を脚部として使用し、残る２つの電動機脚部は吊り手の役割を担う。
【００３６】
図１５は本実施例の脚部兼吊り手部を備えた電動機を吊り上げた際、電動機軸側から見たときの状態を説明する図である。
【００３７】
図１２で示したような、端子箱がハウジング中心位置１１にあり電動機の重心位置がほぼ電動機の中心にある場合は、図１３のように吊り手穴１２は１個とする。
【００３８】
また、図８で示したような、端子箱がハウジング中心位置１１になく重心位置が電動機の中心から外れている場合は、図１４のように吊り手穴１２を複数個とし、電動機を吊り上げた時のバランスに応じて吊り具を取付する位置を変更して電動機を最適に吊り上げることが出来るようにする。
【００３９】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成に他の実施例の構成を加えることも可能である。また、各実施例の構成の一部について、他の構成の追加・削除・置換をすることが可能である。
【符号の説明】
【００４０】
１：端子箱、２：端子箱取付座、３：電動機脚部、４：固定子枠、５：基準面、
６：電動機軸、７：Ｃ寸法、８：Ｅ寸法、９：ＸＡ寸法、１０：Ｆ寸法
１１：ハウジング中心位置、１２：吊り手穴、１３：脚部取付穴、１４：吊り手部
【図１】
0006054851.tif 000002
【図２】
0006054851.tif 000003
【図３】
0006054851.tif 000004
【図４】
0006054851.tif 000005
【図５】
0006054851.tif 000006
【図６】
0006054851.tif 000007
【図７】
0006054851.tif 000008
【図８】
0006054851.tif 000009
【図９】
0006054851.tif 000010
【図１０】
0006054851.tif 000011
【図１１】
0006054851.tif 000012
【図１２】
0006054851.tif 000013
【図１３】
0006054851.tif 000014
【図１４】
0006054851.tif 000015
【図１５】
0006054851.tif 000016